(57)【要約】【課題】  シャッター部のシャッター機能を用いて、受信部からのテレビの映像を１枚分の画像として切り出すと共にカメラの画像と同じフォーマットに変換し、記憶部に保存することにより、回路規模を抑え、テレビの画像のデータの保存や活用が容易な画像処理装置を提供することにある。【解決手段】  テレビ放送の受信部と、シャッター部を有するカメラの撮影部と、シャッター部のシャッター機能を用いて、受信部からのテレビの映像を１枚分の画像として切り出すと共にカメラの画像と同じフォーマットに変換する画像フォーマット変換部と、カメラの画像を保存する記憶部とを備え、１枚分の画像としてフォーマット変換されたテレビの画像を、記憶部に保存するする構成を有している。【選択図】図１
2006080726.tif 000002
【特許請求の範囲】
【請求項１】
テレビ放送の受信部と、
シャッター部を有するカメラの撮影部と、
該シャッター部のシャッター機能を用いて、該受信部からのテレビの映像を１枚分の画像として切り出すと共に該カメラの画像と同じフォーマットに変換する画像フォーマット変換部と、
該カメラの画像を保存する記憶部とを備え、
該１枚分の画像としてフォーマット変換されたテレビの画像を、該記憶部に保存することを特徴とする画像処理装置。
【請求項２】
テレビ放送を受信し、
受信した映像を、カメラのシャッター機能により１枚分の画像として切り出し、
該切り出したテレビの画像を、該カメラの画像と同じフォーマットに変換した後、
該１枚分の画像としてフォーマット変換されたテレビの画像を、該カメラの画像を保存する記憶部に保存することを特徴とする画像処理方法。
【発明の詳細な説明】
【技術分野】
【０００１】
本発明は、テレビの受信とカメラの撮影が可能な画像処理装置及び画像処理方法に関するものである。
【背景技術】
【０００２】
従来のテレビの受信機とカメラは、まったく別の分野の技術であり扱う画像データも、それぞれ異なったフォーマットが用いられており、また製品的にもまったく異なる分野の製品のため別なものとして考えられてきた。
尚、この先行技術は、文献公知に係るものでないため、記載すべき先行技術文献情報はない。
【発明の開示】
【発明が解決しようとする課題】
【０００３】
従来の装置では、テレビの画像を保存する処理と、カメラの画像を保存する処理とは別々な処理であり、処理を行うための回路構成もデータのフォーマットも別々なものが用いられており、処理が煩雑でデータの活用も困難であった。
【０００４】
本発明は、上記従来の問題を解決するもので、回路規模又は処理手順を抑え、テレビの画像のデータの保存や活用が容易な画像処理装置及び画像処理方法を提供することを目的とする。
【課題を解決するための手段】
【０００５】
本発明の画像処理装置は、テレビ放送の受信部と、シャッター部を有するカメラの撮影部と、シャッター部のシャッター機能を用いて、受信部からのテレビの映像を１枚分の画像として切り出すと共にカメラの画像と同じフォーマットに変換する画像フォーマット変換部と、カメラの画像を保存する記憶部とを備え、１枚分の画像としてフォーマット変換されたテレビの画像を、記憶部に保存するする構成を有している。
この構成により、テレビの映像をカメラで撮影した画像と同様に保存することができる。
【０００６】
本発明の画像処理方法は、テレビ放送を受信し、受信した映像を、カメラのシャッター機能により１枚分の画像として切り出し、切り出したテレビの画像を、カメラの画像と同じフォーマットに変換した後、１枚分の画像としてフォーマット変換されたテレビの画像を、カメラの画像を保存する記憶部に保存する構成を有している。
この構成により、テレビの映像をカメラで撮影した画像と同様に保存することができる。
【発明の効果】
【０００７】
本発明は、シャッター部のシャッター機能を用いて、受信部からのテレビの映像を１枚分の画像として切り出すと共にカメラの画像と同じフォーマットに変換し、記憶部に保存することから、回路規模を抑え、テレビの画像のデータの保存や活用が容易な画像処理装置を提供することができる。
【発明を実施するための最良の形態】
【０００８】
次に、本発明の実施のするための最良の形態について図面を参照して説明する。図１は、本発明に係る画像処理装置の構成を示す構成図である。この画像処理装置は、アンテナ１を備えるテレビ受信部２０と、テレビの画像をモニタ等の表示装置５に出力する画像出力部４と、カメラ撮影部３０と、画像フォーマット変換回路１１と、画像を保存する記憶装置９と、記憶装置９から画像を読み出す読み出し部１０とから構成される。具体的には、テレビ放送を受信できると共にカメラにより撮影が可能な携帯電話やＰＤＡ（Personal Digital Assistants）やノートパソコン等が考えられる。また、デジタルカメラで、テレビ放送を受信できる構成のものでもよく、テレビ放送を受信できると共にカメラにより撮影が可能なものであればよい。
【０００９】
テレビ受信部２０は、テレビ放送の受信部であり、アンテナ１からの信号を復調するテレビ受信回路２と、復調された信号を画像信号と音声信号その他制御信号に分割処理する信号処理回路３とから構成される。カメラ撮影部３０は、カメラの撮影部であり、レンズを介して受光した光を画像のデータに変換するカメラ部６と、操作者がシャッタースイッチを押すことにより該画像のデータを１枚の画像として切り出すシャッター機能を実現するシャッター部７と、切り出された画像を保存可能に処理する画像信号処理部８とから構成されている。画像フォーマット変換回路１１は、テレビ受信部２０からのテレビの映像を１枚分の画像として切り出すと共にカメラ撮影部３０の画像と同じフォーマットに変換するものである。記憶装置９は、例えば、半導体メモリ、ハードディスク、光ディスク等であり、画像を保存可能な記憶媒体であればよい。
【００１０】
次に、本実施の形態の画像処理装置の動作を説明する。まず、アンテナ１から入力されたテレビ信号は、テレビ受信回路２で復調され、信号処理回路３で画像信号と音声信号その他制御信号に分割処理され、画像信号は、画像出力部４に送られ、表示装置５で画像が表示される。
【００１１】
また、カメラ部６で受光されたデータは、シャッター部７からの信号１２のタイミングで画像処理部８に転送され、記憶装置９に保存される。保存されたデータを読み出す際には、読み出し部１０により、読み出され、画像出力部４へ送られ、表示装置５で、画像が表示される。尚、シャッター部７でのタイミングの信号１２は、操作者がシャッタースイッチを押したタイミングである。
【００１２】
テレビ放送の受信中にシャッタースイッチが押され、シャッター部７からのタイミングの信号１３が画像フォーマット変換回路１１に入力されると、その時点のテレビ放送の画像の１枚分のデータが切り出される。そして、画像フォーマット変換回路１１で、切り出された画像が、カメラ撮影部３０の画像と同じフォーマットのデータに変換される。そして、画像信号処理部８に転送され、カメラ撮影部３０の画像と同様に記憶装置９に送られ、保存される。
【００１３】
デジタルテレビ放送の場合は、通常ＭＰＥＧ４やＨ２６４等で規定された映像のデータのフォーマットが使用されている。一方、カメラ撮影部３０のデータは、ＪＰＥＧ、ＢＭＰ、ＧＩＦ等のデータが通常用いられている。画像フォーマット変換部１１は、ＭＰＥＧ４やＨ２６４等の映像のデータから、ＪＰＥＧ等の画像のデータの変換の処理を行う。尚、映像のデータ及び画像のデータの形式によって、限定されるものではない。アナログテレビ放送の場合は、画像フォーマット変換部１１で、シャッター部７からのタイミングで１枚分の画面のアナログ信号をＡＤ変換し、ＪＰＥＧ等の画像のデータに変換する。
【００１４】
以上のように本発明の実施の形態の構成及び方法によれば，テレビ放送を受信中にカメラで写真を撮るのと同じ要領で、テレビ放送の画面を取り込むことで、以降は、カメラ撮影部３０で撮った画像と、テレビ放送の画面から取り込んだ画像を区別することなくカメラ撮影部３０で撮った画像のごとく処理することが出来る。すなわち、シャッター部７のシャッター機能を用いて、テレビ受信部２０からのテレビの映像を１枚分の画像として切り出すと共にカメラ撮影部３０の画像と同じフォーマットに変換し、記憶装置９に保存することから、回路規模を抑え、テレビの画像のデータの保存や活用が容易である。回路規模を抑えることで、画像処理装置のコストを低減することができる。
【産業上の利用可能性】
【００１５】
本発明は、回路規模を抑えたテレビの画像のデータの保存や活用が容易な画像処理装置として有効である。
【図面の簡単な説明】
【００１６】
【図１】本発明に係る画像処理装置の構成を示す構成図
【符号の説明】
【００１７】
１    アンテナ
２０  テレビ受信部
２    テレビ受信回路
３    信号処理回路
４    画像出力部
５    表示装置
３０  カメラ撮影部
６    カメラ部
７    シャッター部
８    画像信号処理部
９    記憶装置
１０  読み出し部
１１  画像フォーマット変換回路
１２  シャッター部からの信号
１３  シャッター部からの信号
【図１】
2006080726.tif 000003